(57)【特許請求の範囲】
【請求項１】
操作ハンドルにより窓枠に沿って連結杆をスライドさせ、該連結杆に枢着されたパネル板を揺動開閉自在とした窓開閉装置において、
前記連結杆に設けられ、該連結杆のスライド方向と同方向に長尺な長孔が穿設されるとともに、該長孔の近傍にピンが突設された支持部と、
前記支持部の長孔に枢着されるとともに、該長孔に沿って摺動自在な支持軸と、
前記支持軸に回動自在に軸支され、前記パネル板の板面に沿い前記長孔と同等の長さに形成されて前記ピンと係合する保持溝を有するとともに、前記軸支部分と同心な円弧よりなるガイド弧部が前記保持溝に連続して形成されて、前記パネル板の端縁に固定されるブラケットと、
前記ブラケットに重合して前記支持軸に回動自在に軸支され、前記ピンと常に係合状態とされて前記支持軸に対する前記ピンの移動を案内するガイド溝を有するカム板と、を具備し、
前記連結杆がスライドされ前記パネル板を開放する際には、該連結杆とともに前記支持部が移動して前記支持軸が長孔に沿って移動するとともに、前記支持部のピンが前記ブラケットの保持溝から抜け出し、かつ該ピンの移動により前記カム板を回動させ、さらにスライドする連結杆の移動に伴い前記ブラケットのガイド弧部が前記ピンに沿って移動し、
前記連結杆が逆方向にスライドして前記パネル板を閉鎖させる際には、前記ブラケットのガイド弧部が前記ピンに沿って移動し、該ピンを前記保持溝内に係合させるとともに、該保持溝内を移動する前記ピンが前記ガイド溝内を移動して、前記カム板を回動させ、同時に前記支持軸を長孔に沿わせて移動させることを特徴とする窓開閉装置のロック機構。
【請求項２】
前記カム板には、係合片が突設され、前記パネル板に隣接して配設され該パネル板の揺動中心に近接する他のパネル板における揺動端縁に突設される係合ピンと係合することを特徴とする請求項１記載の窓開閉装置のロック機構。
【発明の詳細な説明】
【０００１】
【発明の属する技術分野】
本発明は、住宅などの建築物の窓部に配設されるルーバーなどの窓開閉装置におけるロック機構に関するものである。
【０００２】
【従来の技術】
住宅などの建物の窓部には、ルーバーなどの開閉装置が配設されるが、このルーバーは複数枚のガラス板からなる横長の短冊形状をしたルーバー板と、これらルーバー板の左右両端部を保持し窓枠に対して枢着されるブラケットとで構成され、上下方向に複数段連ねて配設されて、各ルーバー板を連結杆に連動連結し、この連結杆を作動させる操作ハンドルにて同時に開閉を行い、建物に対する通気や採光などを行うものである。
【０００３】
そして、上記のようなルーバーは、閉鎖時に、ルーバー板同士及び窓枠との気密性を得るために、その閉鎖状態を保持するようにロック機構が備えられる。
従来、このロック機構は、実公昭５８−５００４９号公報に開示されているような、各ルーバー板の側端縁に突設されたロックピンを、連結杆に突設されたガイドピンに押動されて回動するロックプレートに引っ掛けることによりルーバー板を窓枠に係止する機構や、実開平２−５６２９３号公報に開示されているような、各ルーバー板の側端縁に突設されたロックピンを、連動棒に突設されて、この連動棒とともにスライド移動する係止片に係合させることでルーバー板をロックする機構が案出されている。
【０００４】
【発明が解決しようとする課題】
しかしながら、上述した従来のルーバーのロック機構では、前者（実公昭５８−５００４９号公報）の場合、作動の円滑を図るためにロックプレートに形成された２つの溝と各溝に係合するロックピン及びガイドピンとの間に遊びが設けられており、そのため、ロックされた状態で各ルーバー板の自由端縁がガタつくおそれがあり、従って気密性が十分でないという欠点があるとともに、ロックプレートの取付状態が揺動自在な枢着状態であり自重による回動で作動することから、信頼性に欠けるという欠点がある。
【０００５】
また、後者（実開平２−５６２９３号公報）のロック機構の場合では、連動棒の移動によってロックが行われる構成であり、ロック状態とさせる係止片が直線移動によるものであることから、揺動して開閉するルーバー板、すなわち円弧移動を行うルーバー板を直線移動する係止片にて捕捉しロックする構造であるが、確実な動作が行われないおそれがあり、また係止片にてルーバー板を捕捉し係合するが、このルーバー板を引き寄せる動作ではないため、窓枠側に完全に密着させるには不十分となる欠点を有している。
【０００６】
そこで本発明は、上記問題点を解消するために、ルーバーなどの窓開閉装置において、ルーバー板などのパネル板を閉鎖させた際に、その閉鎖状態を保持してロック状態とさせる動作がスムーズにかつ正確に行えるようにするとともに、ロック状態を確実に保持することの可能な窓開閉装置のロック機構を提供することを目的としている。
【０００７】
【課題を解決するための手段】
次に、上記の課題を解決するための手段を、実施の形態に対応する図面を参照して説明する。
この発明の窓開閉装置１のロック機構５は、操作ハンドルにより窓枠３に沿って連結杆４をスライドさせ、該連結杆４に枢着されたパネル板２を揺動開閉自在とした窓開閉装置において、
前記連結杆４に設けられ、該連結杆４のスライド方向と同方向に長尺な長孔８が穿設されるとともに、該長孔８の近傍にピン９が突設された支持部６と、
前記支持部６の長孔８に枢着されるとともに、該長孔８に沿って摺動自在な支持軸１０と、
前記支持軸１０に回動自在に軸支され、前記パネル板２の板面に沿い前記長孔８と同等の長さに形成されて前記ピン９と係合する保持溝１７を有するとともに、前記軸支部分（１０）と同心な円弧よりなるガイド弧部１６が前記保持溝１７に連続して形成されて、パネル板２の端縁に固定されるブラケット１１と、
前記ブラケット１１に重合して前記支持軸１０に回動自在に軸支され、前記ピン９と常に係合状態とされて前記支持軸１０に対する前記ピン９の移動を案内する中途が屈曲したガイド溝２２を有するカム板２０と、を具備し、
前記連結杆４がスライドされ前記パネル板２を開放する際には、該連結杆４とともに前記支持部６が移動して前記支持軸１０が長孔８に沿って移動するとともに、前記支持部６のピン９が前記ブラケット１１の保持溝１７から抜け出し、かつ該ピン９の移動により前記カム板２０を回動させ、さらにスライドする連結杆４の移動に伴い前記ブラケット１１のガイド弧部１６が前記ピン９に沿って移動し、
前記連結杆４が逆方向にスライドして前記パネル板２を閉鎖させる際には、前記ブラケット１１のガイド弧部１６が前記ピン９に沿って移動し、該ピン９を前記保持溝１７内に係合させるとともに、該保持溝１７内を移動する前記ピン９が前記ガイド溝２２内を移動して、前記カム板２０を回動させ、同時に前記支持軸１０を長孔８に沿わせて移動させることを特徴としている。
【０００８】
そして、この閉鎖状態では、保持溝１７とガイド溝２２とが略直交するような状態となり、確実にピン９との係合状態を保持し、ロック状態とされる。
【０００９】
なお、前記カム板２０には、係合片２４が突設され、前記パネル板２に隣接して配設され該パネル板２の揺動中心に近接する他のパネル板２における揺動端縁に突設される係合ピン２８と係合することとしてもよい。
【００１０】
この場合、パネル板２の閉鎖時に、隣接する他のパネル板２の揺動端縁をカム板２０が捕捉し、このパネル板２の揺動端縁を窓枠３側に引き寄せることとなる。
【００１１】
【発明の実施の形態】
図１は本発明による窓開閉装置のロック機構の実施の形態を示す側断面図、図２は同正断面図、図３は同分解側面図である。
【００１２】
まず、この窓開閉装置１は、従来の技術で説明したように、住宅などの建物の窓部に配設されるルーバーであり、パネル板としてのガラス板よりなる横長な短冊形状のルーバー板２が上下に複数段連ねて設けられ、これらルーバー板２が左右両端にて窓枠３に沿ってスライドする連結杆４に連結され、この連結杆４をスライドすることで各ルーバー板２を同時に開閉させ、通気や採光などを行うものである。
なお、図示はしないが、連結枠４を窓枠３に沿わせてスライドさせる機構は、スライダクランク機構にて構成され、操作ハンドルを回動させることで、リンクバーを介し連結杆をスライドさせるものである。
【００１３】
そして、このルーバー１に設けられる本実施の形態のロック機構５は、支持部６と、支持軸１０と、ブラケットと、カム板とで大略構成されている。
【００１４】
まず、支持部６は、図２に示すように、断面略Ｌ字状の一対の脚部７を有した板部材で、垂直な左右の窓枠３に沿って垂直方向に上下にスライド自在に設けられる連結杆４に設けられている。
【００１５】
この支持部６は、図１及び図３に示すように、板面略中央に連結杆４のスライド方向、すなわち垂直方向に長尺な長孔８が穿設されている。
また、この支持部６には、この長孔８の近傍、本実施の形態では後述するルーバー板２の開放方向側となる長孔８の斜め下の位置に、ピン９が板面に対して突設されている。
なお、この支持部６は、各ルーバー板２毎に複数、連結杆４に配設される。
【００１６】
次に、支持軸１０は、図４に示すように、大径部１０ａと小径部１０ｃ、及び中間部１０ｂの複数段の外径を有するとともに、大径部１０ａ側の端部に頭部１０ｄを有した軸体で、前記支持部６の長孔８に、この長孔８の長手方向に沿って摺動自在となって枢着されている。
なお、この支持軸１０は、長孔８に対してその大径部１０ａが枢着され、頭部１０ｄが支持部６の裏面に接触し、軸先端が連結杆４に対して水平方向に突出するように取り付けられている。また、この支持軸１０は、後述するブラケット及びカム板が取り付けられた後に、軸先端１０ｅがかしめなどの固定手段が施されこれらの抜け止めが行われる。
【００１７】
次に、ブラケット１１は、図１及び図３に示すように、円板状の軸支部１２と、この軸支部１２の一部から延出形成される矩形板状の取付部１３とで、略Ｐ字状に形成された板部材である。
【００１８】
軸支部１２は、略中央に、貫通した支持孔１４が穿設されている。
この支持孔１４には、前記支持軸１０が挿通されて、この支持軸１０に回動自在となるように取り付けられている。
なお、この支持孔１４は、支持軸１０の中間部１０ｂに枢着され、前記支持部６の表面との間に回動摩擦低減のためのワッシャ１５が介設されている。
【００１９】
また、この軸支部１２の周縁の取付部１３に近接する一部には、支持孔１４を中心に、この支持孔１４と同心な円弧よりなるガイド弧部１６が形成されている。
このガイド弧部１６の円弧の長さは、ルーバー板２の回動角度（開閉角度）に対応され設定されており、この円弧の一端には保持溝１７が連続して形成され、他端にはストッパ片１８が突出するように形成されている。
【００２０】
この保持溝１７は、図３に示すように、軸支部１２と取付部１３との連結される部分に形成されており、前記支持孔１４を中心とした放射方向と異なり、軸支部１２に対して延設される取付部１３の延出方向と平行な直線状に形成されている。
【００２１】
この保持溝１７の溝長は、前述した支持部６の長孔８の長さと略同等の長さ、別言すると、保持溝１７内を移動する支持部６のピン９の移動距離と、支持部長孔８内を摺動する支持軸１０の摺動距離とが略同等の長さに設定されているとともに、この保持溝１７の開口側の中心と支持孔１４の中心とを結ぶ距離Ｌｃと、保持溝１７の最奥側の中心と支持孔１４の中心とを結ぶ距離Ｌｄのそれぞれが、支持部６における長孔８の一端（上端）側中心とピン９の中心を結ぶ距離Ｌａと長孔８の他端（下端）側中心とピン９の中心を結ぶ距離Ｌｂのそれぞれに略一致するように設定されている。
【００２２】
そして、前述したように、このブラケット１１は、支持軸１０に取り付けられた状態で、支持部６の長孔８に回動自在となり、かつ支持部６に突設されたピン９が保持溝１７内またはガイド弧部１６の周縁に位置するようになる。
【００２３】
また、取付部１３は、図２に示すように、略Ｚ字状に中途が屈曲形成され、先端側の板面に前述したルーバー板２の端縁の上縁２ａ側が固定され、すなわち、このブラケット１１の支持孔１４がルーバー板２の揺動中心となる。
なお、この固定状態においては、前述した保持溝１７の長手方向がルーバー板２の板面に沿うようになっている。
【００２４】
次に、カム板２０は、図１及び図３に示すように、枢着孔２１が穿設され、略扇状に形成された板部材で、枢着孔２１を中心とする弧状の外周縁の半径の長さが、前記ブラケット１１のガイド弧部１６における半径より大きく、本実施の形態では、支持部６のピン９の略直径分長く設定されて形成されている。
【００２５】
また、このカム板２０には、中途が屈曲したガイド溝２２が形成されている。このガイド溝２２の長さは、図３に示すように、前述した支持部６の長孔８及びブラケット１１の保持溝１７の各長さに対応して設定されており、このガイド溝２２の開口側の中心と枢着孔２１の中心とを結ぶ距離Ｌｅと、ガイド溝２２の最奥側の中心と枢着孔２１の中心とを結ぶ距離Ｌｆのそれぞれが、支持部６における長孔８の一端側中心とピン９の中心を結ぶ距離Ｌａと長孔８の他端側中心とピン９の中心を結ぶ距離Ｌｂのそれぞれに略一致するように設定されている。
また、このガイド溝２２の屈曲する位置である屈曲部２３は枢着孔２１の中心から前記ブラケット１１のガイド弧部１６の半径と同等の長さに設定されている。
【００２６】
また、このカム板２０には、一側に係合片２４が突設されている。
この係合片２４は、図２に示すように、カム板２０の板面に対して突出するように中途が折曲して形成され、また、先端が楔状に形成されている。
【００２７】
そして、このカム板２０は、図４に示すように、枢着孔２１にカラー部材２５が装着されて、前記ブラケット１１に重合するように前記支持軸１０の先端側小径部１０ｃに回動自在に枢着されて前記支持部６に取り付けられ、また、ガイド溝２２が前記ピン９と常に係合状態となるように取り付けられている。
【００２８】
なお、カム板２０が支持部６に取り付けられた状態では、ガイド溝２２の屈曲方向が開口部分から奥方に向かって長孔８に向くように設定されており、この屈曲する位置での屈曲角度は、支持軸１０が長孔８の上端８ａに位置している際には屈曲部２３よりガイド溝２２開口側が垂直となり、支持軸１０が長孔８の下端８ｂに位置した際には屈曲部２３よりガイド溝２２奥側が水平となるような角度とされる。
【００２９】
また、各ルーバー板２の端縁のブラケット１１の取付部１３近傍には、支持リンク２７の一端が回動自在に連結され、窓枠３と連結されており、この端縁の揺動端側である下縁２ｂ側には、係合ピン２８が突設されている。
【００３０】
次に上述した構成によるロック機構５の動作について説明する。
まず、ルーバー板２が閉鎖され、閉鎖状態がロックされている状態（図１参照）から、ルーバー板２を開放する際の動作について説明する。
【００３１】
ルーバー板２が窓枠３に沿って垂直となって閉鎖しており、連結杆４が上昇している閉鎖ロック状態から、操作ハンドルを回動させると、リンク機構によって連結杆４が下方にスライド移動を始め、すなわち支持部６が下降する。
【００３２】
図５に示すように、支持部６が下降すると、この支持部６の長孔８に枢着されている支持軸１０が、長孔８の下端８ｂから上端８ａの位置となる。
【００３３】
同時に、この支持部６のピン９が、ブラケット１１の保持溝１７の奥方から開口側に移動した位置となり、また、このピン９がカム板２０のガイド溝２２内を移動して、このカム板２０を回動させる。
このカム板２０のガイド溝２２でのピン９の位置は、溝開口側となる。
【００３４】
また、カム板２０が回動することで、係合片２４に捕捉され係合状態となっている上方に隣接して位置する他のルーバー板２の係合ピン２８との係合状態を解く。
【００３５】
この状態では、ルーバー板２は閉鎖状態のままであり、閉鎖ロック解除状態となる（図５参照）。
【００３６】
さらに、操作ハンドルが回動されると、連結杆４はさらに下方にスライド移動を行い、この移動に伴って支持リンク２７等を介しルーバー板２を支持軸１０を中心に揺動させ開放させる。
【００３７】
このとき、支持軸１０は、連結杆４とともに支持部６が下方に移動を続けていることから、支持部６の長孔８の上端８ａの位置にて支持軸１０が下方に押し下げられるようになってこの位置にて回動（揺動）中心となり、また、ルーバー板２の連結杆４との枢着部分であるブラケット１１のガイド弧部１６が、支持部６のピン９と摺接し、このピン９に沿って移動する。
【００３８】
そして、ブラケット１１のストッパ片１８にピン９が当接した位置にて、ルーバー板２は全開状態となる（図６参照）。
【００３９】
次に、開放状態のルーバー板２を閉鎖させる際の動作について説明する。
ルーバー板２の開放状態では、連結杆４が、図６に示すように、下方に位置している。
【００４０】
操作ハンドルを前述した回動方向と逆の方向に回動させると、リンク機構によって、連結杆４が上方向にスライド移動を始め、すなわち支持部６が垂直上昇を開始する。
【００４１】
支持部６が上昇すると、この支持部６のピン９がブラケット１１のガイド弧部１６を押し上げ、またこのピン９に沿ってガイド弧部１６が移動を始める。
このとき、支持部６の長孔８も上昇することとなり、ガイド弧部１６の周縁と支持軸１０の中心との距離が変わらないことから、上昇する長孔８の上端８ａに支持軸１０が位置したままとなる。
【００４２】
連結杆４、すなわち支持部６の上昇に伴い、ブラケット１１のガイド弧部１６がピン９に沿って移動すると、ルーバー板２は、上昇移動する支持軸１０を中心に閉鎖方向に揺動する。
【００４３】
支持部６のピン９の位置が、図５に示すように、ブラケット１１のガイド弧部１６から保持溝１７の開口側となると、ルーバー板２は窓枠３に対して垂直な閉鎖状態となる。
【００４４】
さらに、ルーバー板２が閉鎖状態のまま、操作ハンドルが回動され、連結杆４を上昇させると、支持部６のピン９が、垂直となったブラケット１１の保持溝１７内を奥方に向かって上昇移動する。
【００４５】
同時に、このピン９は、カム板２０のガイド溝２２開口部分の位置から、このガイド溝２２の奥方向に移動し、この移動とともにカム板２０を支持軸１０を中心に回動させ、また、この支持軸１０が支持部６の長孔８に沿って下端８ｂに向かって下降する。
【００４６】
そして、支持部６のピン９が保持溝１７の最奥位置となり、またガイド溝２２の最奥位置となって連結杆４の上昇が停止となる。
この状態では、保持溝１７とガイド溝２２とが、図１に示すように、互いに直交するようになり、支持部６のピン９を把持するような係合状態となり、互いにピン９が抜け出せない状態となって、すなわちルーバー板２の閉鎖状態を保持するロック状態となる。
【００４７】
また、このカム板２０の回動によって、係合片２４がこのルーバー板２の上部の他のルーバー板２の係合ピン２８を引き寄せるように係合し、ルーバー板２の揺動端側のロックを行う。
【００４８】
従ってこのように構成された窓開閉装置１のロック機構５では、ルーバー板２を閉鎖してロックした状態では、支持軸１０に回動自在に枢着されるブラケット１１の保持溝１７に、支持部６のピン９を係合させることで、支持軸１０を中心にこのブラケット１１を回動不可能とし、すなわちルーバー板２を開放不可能とするとともに、保持溝１７内のピン９が、この保持溝１７から抜け出ないように、カム板２０に形成された保持溝１７とは異なる方向のガイド溝２２をこのピン９に係合させるので、確実にこのロック状態を保つこととなる。
【００４９】
また、このロック状態においては、カム板２０に突設された係合片２４が、他のルーバー板２の係合ピン２８に係合されており、ルーバー板２の閉鎖状態が、より確実なものとされるとともに、このカム板２０は回動することから係合ピン２８を引き寄せるように確実に捕捉して係合状態とさせるので、ルーバー板２の窓枠３への密着状態が確実となり、気密性が良好となる。
【００５０】
また、上記ロック状態が解除される際には、保持溝１７及びガイド溝２２の形成されるブラケット１１及びカム板２０が同一の枢着部分すなわち支持軸１０とされているとともに、この支持軸１０が支持部６の長孔８を摺動して軸心位置を変更することとなるので、ロック時に保持溝１７及びガイド溝２２に係合されたピン９が、支持軸１０の摺動とともに移動して、各溝１７，２２より抜け出し、このピン９に対してブラケット１１が回動自在な解除状態となり、すなわちルーバー板２が揺動自在となり、この保持溝１７内から抜け出たピン９に沿い、このピン９を、前記支持軸１０を中心とされたガイド弧部１６にガイドされてブラケット１１が回動を行うので、ルーバー板２の開放動作が安定して行われる。
【００５１】
さらに、操作ハンドルの閉鎖動作である連結杆４の閉鎖方向のスライド移動に連続した動作によって、前述したピン９が保持溝１７内に係合し、同時にカム板２０が回動してガイド溝２２内にピン９が係合されるので、ルーバー板２の閉鎖動作のみで、このルーバー板２をロック状態とすることができる。
【００５２】
また、ルーバー板２の開閉動作時、及び閉鎖ロック時に、カム板２０のガイド溝２２がピン９と常に係合状態であることから、カム板２０は支持軸１０とピン９とで常に支えられており、ふらつくことなく安定して動作が行われ、これにより、ルーバー板２の開閉の安定を得られ、さらに、このルーバー板２の閉鎖ロックが確実に行われる。
【００５３】
さらに、このロック機構５は、ルーバー板２の開閉のガイドを行うとともに、このルーバー板２の閉鎖時のロックを行う、両動作を兼用する構造であり、各ルーバー板２を連結する連結杆４に設けられた支持部６と、各ルーバー板２の枢着部分であるブラケット１１と、カム板２０とがそれぞれ板状であり、簡素な構成であることから、省スペース化を実現でき、窓枠３内に構成させることが可能となる。
【００５４】
なお、上述した実施の形態では、窓開閉装置１として、パネル板としてのルーバー板２を左右に長尺とし、上下方向に複数段連ねて設けるルーバーについて説明したが、これに限ることはなく、上下方向に長尺なパネル板２を左右方向に複数並列させて立設し連動連結させて開閉を行えるよう構成してもよく、上記同様の効果が得られる。
【００５５】
【発明の効果】
以上説明したように本発明による窓開閉装置のロック機構は、パネル板を閉鎖しロックした状態では、支持軸に回動自在に枢着されるブラケットの保持溝に、保持部のピンを係合させることにより、支持軸を中心にこのブラケットを回動不可能とし、すなわちパネル板を開放不可能とするとともに、保持溝内のピンが、この保持溝から抜け出ないように、カム板に形成された前記保持溝とは異なる方向のガイド溝をこのピンに係合させるので、確実にこのロック状態を保つことができるという効果がある。
【００５６】
また、このロック状態において、カム板に突設された係合片によって、他のパネル板の係合ピンと係合されるので、パネル板の閉鎖状態が、より確実なものとされるとともに、このカム板が回動することから係合ピンを引き寄せるように確実に捕捉して係合状態とさせることとなり、パネル板の窓枠への密着状態が確実となって、気密性が良好となるという効果が得られる。
【００５７】
また、ロック操作が、操作ハンドルの閉鎖動作である連結杆の閉鎖方向のスライド移動に連続した動作であり、この動作によって、ピンが保持溝内に係合し、同時にカム板が回動してガイド溝内にピンが係合されるので、パネル板の閉鎖動作のみで、このパネル板をロック状態とすることができるという効果がある。
【００５８】
さらに、ロック状態が解除されて、保持溝内からピンが抜け出たのち、パネル板の開放動作が行われる際では、枢着部分である支持軸を中心とされたガイド弧部にピンがガイドされてブラケットが回動されることとなるので、この支持軸を中心に安定してパネル板が開放動作を行うことができるという効果がある。
【００５９】
また、パネル板の開閉動作時、及び閉鎖ロック時に関わらず、カム板のガイド溝が常にピンと係合状態であることから、カム板は支持軸とピンとで常に支えられていることとなり、ふらつくことなく安定してカム板の動作が行われるという効果を得ることができるとともに、ピンに対する支持軸の位置関係を保持し、これによりパネル板の開閉の安定性が得られることとなり、さらに、このカム板が確実にかつスムーズに動作に連動するので、このパネル板の閉鎖ロックが確実に行われるという効果がある。
【図面の簡単な説明】
【図１】本発明による窓開閉装置のロック機構の実施の形態を示す側断面図
【図２】同正断面図
【図３】同分解側面図
【図４】同一部拡大正断面図
【図５】同ロック機構の動作を示す側断面図
【図６】同ロック機構の動作を示す側断面図
【符号の説明】
１…窓開閉装置（ルーバー）
２…パネル板（ルーバー板）
３…窓枠
４…連結杆
５…ロック機構
６…支持部
８…長孔
９…ピン
１０…支持軸
１１…ブラケット
１６…ガイド弧部
１７…保持溝
２０…カム板
２２…ガイド溝
２４…係合片
２８…係合ピン
【図１】
0003628392.tif 000002
【図２】
0003628392.tif 000003
【図３】
0003628392.tif 000004
【図４】
0003628392.tif 000005
【図５】
0003628392.tif 000006
【図６】
0003628392.tif 000007